(57)【特許請求の範囲】
【請求項１】
鉄骨建築物の架構内に予め配置した上鉄骨、下鉄骨、左鉄骨、右鉄骨からなる鉄骨の窓開口部に組み込む組立式窓枠であって、
左枠材固定部材、右枠材固定部材、底枠材、上枠材、ゴムガスケット、左枠材、右枠材、内側中央縦枠材、外側中央縦枠材、内側中央縦枠材固定部材、外側中央縦枠材固定部材、防水用ゴムガスケット、内側中間横枠材固定部材、外側中間横枠材固定部材、上側中間横枠材、下側中間横枠材、ブラインド（またはガラス）、ブラインド（またはガラス）を固定する縦押え、ブラインド（またはガラス）を固定する排水孔を設けた横押え、窓隅角の防水板を組合わせてなり、
上記底枠材は下鉄骨の上方上記ゴムガスケットを介挿してボルトで締結して取り付け、
且つ上記上枠材は上鉄骨の下方に上記ゴムガスケットを介挿してボルトで締結して取り付けることにより、
上記ボルトの締結加減によって上記各枠材を水平に保つと同時に、鉄骨建築の施工時に発生する誤差を調整可能とし、
上記左、右枠材はそれぞれ左、右枠材固定部材に取り付けて、底枠材と上枠材との間に立設し、
上記内側、外側中央縦枠材は底枠材と上枠材との間に立設し、
上記内側、外側中央縦固定部材はそれぞれ底枠材と上枠材の上に溶接して、内側、外側中央縦枠材を固定してなり、
上記防水用ゴムガスケットは内側、外側縦枠材固定部材と内側、外側中央縦枠材との接合部において、内側、外側中央縦固定部材と内側、外側中央縦枠材とをより密着に接合させて防水機能を高めるものであり、
上記内側、外側中間横枠材固定部材はそれぞれ左、右枠材と上記内側、外側中央縦枠材の左、右側に溶接固定して、上側、下側中間横枠材を固定し、組立後の中間横枠材は横倒しの方向でそれぞれ左、右枠材と組立後の中央縦枠材との間に取り付られ、
上記ブラインド（またはガラス）を固定する縦、横押えは、ブラインド（またはガラス）の外側に取り付け、即ち横押えを底枠材と中間横枠材の上方の適所に、縦押えを左枠材、右枠材と組立後の中央縦枠材の左右両側の適所に取り付けて、ブラインド（またはガラス）を固定し、
上記排水孔はブラインド（またはガラス）を固定する横押え上において非対称の形式で開孔して、防水、排水機能を高めるものであり、
上記窓隅角の防水板は、雨水が両側から溢れ出るのを防ぐため、全溶接で組立て後の鉄骨建築組立式窓枠の下方両側に溶接されてなる、
ことを特徴とする鉄骨建築の組立式窓枠。
【請求項２】
ゴムガスケットは鉄骨窓開口部と底枠材、鉄骨窓開口部と上窓枠、鉄骨窓開口部と左右枠材、上側中間横枠材及び底枠材とブラインド（またはガラス）との間に設置することを特徴とする請求項１に記載の鉄骨建築の組立式窓枠。
【請求項３】
（１）上、下、左、右の鉄骨を構築する際に、実際に必要な寸法に応じて、鉄骨上に窓開口部を予め設ける、
（２）下鉄骨の上方にゴムガスケットを介挿して底枠材をボルトで締結し、底枠材を鉄骨の窓開口部の底部に据え付ける、
（３）上鉄骨の下方にゴムガスケットを介挿して上窓枠をボルトで締結し、上枠材を鉄骨の窓開口部の上方に据え付ける、
（４）底枠材と上枠材を締結するボルトにより各窓枠の高さと水平度を微調整し、据付が正しいことを確認する、
（５）ゴムガスケットを介挿してボルトで左、右側固定部材を左、右側鉄骨に締結し、さらに左右枠材を左右側固定部材にボルトで固定する、
（６）内側、外側中央縦枠材固定部材は先に上枠材、底枠材の上に溶接で固定しておく、
（７）防水用ゴムガスケットを内側、外側中央縦枠材固定部材の外側に覆わせ、さらに内側、外側それぞれの中央縦枠材を内側、外側中央縦枠材固定部材に覆わせて掛止し、内側、外側中央縦枠材の取り付け部分及び内側、外側中央縦枠材と内側、外側中央縦枠材固定部材の部分においてそれぞれボルトでこれを固定する、
（８）内側、外側中間横枠材固定部材もまた、左、右枠材及び内側、外側中央縦枠材の左、右側にそれぞれ先に溶接しておく、
（９）防水用ゴムガスケットを内側、外側中間横枠材固定部材の外側に覆わせてから、上下それぞれの中間横枠材を係止する方法で内側、外側中間横枠材固定部材の上に取り付けて、ボルトで固定する、
（10）底枠材、上側中間横枠材のブラインド（またはガラス）位置に、それぞれゴムガスケットを介挿してブラインド（またはガラス）を取り付ける、
（11）ブラインド（またはガラス）を取り付けてから、ブラインド（またはガラス）の外側、即ち底枠材及び上側中間横枠材上方の適所にそれぞれ、ボルトでブラインド（またはガラス）を固定する横押えを取り付け、左枠材、右枠材及び組立て後の中央縦枠材の左右両側の適所に、ボルトでブラインド（またはガラス）を固定する縦押えを取り付ける、
（12）ブラインド（またはガラス）を固定する横押え上に、水が内部に流れ込むのを防ぐため、非対称の形式で数個の排水孔を開ける、
（13）組合わせ後の鉄骨建築の組立式窓枠の下方両側、即ち底枠材の両側に、雨水が両側から溢れ出るのを防ぐため、全溶接により窓隅角の防水板を固定する、の手順を有する鉄骨建築の組立式窓枠の施工法。
【発明の詳細な説明】
【０００１】
【発明の属する技術分野】
本発明は鉄骨建築の組立式窓枠及びその施工法に関するものであって、鉄骨建築物に窓枠の設置に必要な窓開口部を予め配置しておき、主体構造の完成後に、標準化、モジュール化した窓枠材を現場で加工する方法により、所定の組立方式で、上記窓枠材を現場で組み立ててなるものである。上記窓枠は現場組立という特徴を備えており、施工時の搬送コストを大幅に削減できると共に、従来は施工の際に窓枠を先に取り付けていたため、後に行う建築物の施工において発生しがちであった損傷を回避することができる。また上記窓枠は防水や台風による雨水の浸入を防止できるほか、実際の必要に応じてブラインドまたはガラスなどを取り付けることで、環熱帯気候地域の住居空間のニーズに合致できる。
【０００２】
【従来の技術と発明が解決しようとする課題】
従来の窓枠は、従来型鉄筋コンクリート建築物の建築において窓の外枠を予め所定の窓位置に埋設しておき、鉄筋コンクリート建築物の施工完成後に始めて該窓の全体を取り付け
ていた。かかる施工法は、予め埋設した窓の外枠が後の施工時において損傷を受けやすいだけでなく、現在鉄骨建築が一般的に採用しているカーテンウォール窓は、鉄骨建築物の完成後に、外側をプレハブ部材で覆う方式が多く、プレハブ部材の体積が大きいため、搬送時に損傷を受けやすく、かつ建材の搬送コストを増大させていた。
【０００３】
施工の過程で発生する窓外枠の損傷を回避し、建築物の外観を美しくすると同時に、建材の搬送コストを削減し、鉄骨建築物の主体構造の構築後に、標準化、モジュール化した窓枠材、防水や台風による雨水の進入防止という機能を備え、何度も付け外しのできる或いは新たに付け替える窓枠材を現場で組み立てることは、解決を急ぐべき課題であった。
【０００４】
【課題を解決するための手段】
かかる課題に基づき、本発明者は鋭意検討、研究を重ね、鉄骨建築物に一定の大きさの窓開口部を予め配置し、鉄骨建築物の主体構造完成後に標準化、モジュール化した窓枠材を現場で組み立ててなる方法を見出し、本発明を完成した。
【０００５】
本発明に関する鉄骨建築の組立式窓枠及びその施工法は、鉄骨建築物の架構内に設置した上鉄骨、下鉄骨、左鉄骨、右鉄骨からなる鉄骨の窓開口部内に、左枠材固定部材、右枠材固定部材、底枠材、上枠材、ゴムガスケット、左枠材、右枠材、内側中央縦枠材、外側中央縦枠材、内側中央縦枠材固定部材、外側中央縦枠材固定材、防水用ゴムガスケット、内側中間横枠材固定部材、外側横枠材固定部材、上側中間横枠材、下側中間横枠材、ブラインド（またはガラス）、ブラインド（またはガラス）を固定する縦押え、ブラインド（またはガラス）を固定する横押え、排水孔及び窓隅角の防水板からなり、このうち鉄骨の窓開口部は、上、下鉄骨、左、右鉄骨の構築時に実際に必要なサイズに応じて予めこれを配置しておき、鉄骨の構築完成後に、まず鉄骨窓開口部の底部にゴムガスケットを設置し、底枠材をゴムガスケットの上に据えてボルトで上記鉄骨窓開口部の底部に締結して固定し、さらにゴムガスケットを上記鉄骨窓開口部の上方に設置して上枠材を据え、上記の組立て法によりボルトで固定する。上記ゴムガスケットは窓枠の取り付けに際して、窓枠のボルトをしっかりと締付けると同時に、各窓枠の高さを微調整し、各鉄骨窓開口部を配置する際に発生する僅かな誤差をなくし、各窓枠の高さを一致させ、また窓枠を水平に保つことで、後に行う左、右枠材及び内側、外側中央縦枠材の取り付けを容易にする。上記底枠材と上枠材の取り付け及び微調整を終え、各窓枠の高さと水平度が正しいことを確認してから、続けて左、右枠材の取り付けを行い、ゴムガスケットをそれぞれ鉄骨窓開口部の左、右側に設置し、その上に窓枠固定部材を設置してボルトで鉄骨窓開口部の左と右の側に固定し、さらに左、右枠材をボルトを使って固定部材上に固定する。左右それぞれの側の枠材を取り付けた後、続けて内側、外側中央縦枠材を取り付けるが、内側、外側中央縦固定部材は予め溶接により上枠材、底枠材上に固定し、防水用ゴムガスケットを内側、外側中央縦枠材固定部材の外側に覆わせて、さらに内側、外側それぞれの中央縦枠材を内側、外側中央縦枠材固定部材を覆う方式で係止させ、内側、外側中央縦枠材の係止部分及び上記内側、外側中央縦枠材と内側、外側中央縦枠材固定部材の部分を、それぞれボルトで固定する。また内側、外側中間横枠材固定部材も予めそれぞれ左、右枠材及び内側、外側中央縦枠材の左、右側上に溶接しておき、防水用ゴムガスケットを内側、外側中間横枠材固定部材の外側に覆わせてから、上下それぞれの中間横枠材を係止させる方式で内側、外側中間横枠材固定部材上に取り付けてボルトで固定する。
【０００６】
底枠材、組立て後の中間横枠材のブラインド（またはガラス）の取り付け位置にそれぞれゴムガスケットを備え付けて、ブラインド（またはガラス）を取り付ける。ブラインド（またはガラス）の取付後に、ブラインド（またはガラス）の外側、即ち底枠材と上側中間横枠材上方の適所にそれぞれ、ボルトでブラインド（またはガラス）を固定する横押えを取り付け、左枠材、右枠材及び組立て後の中央縦枠材の左右両側の適所にボルトでブラインド（またはガラス）を固定する縦押えを取り付け、ブラインド（またはガラス）を固定する横押え上に非対称の形式で数個の排水孔を開けて、水が内部に流れ込むのを防止する。さらに、本発明に関する鉄骨建築の組立式窓枠の防水性を高めるため、その下方両側、即ち底枠材の両側において全溶接により窓隅角の防水板を固定し、雨水が両側から溢れ出るのを防止する。
【０００７】
【実施例】
次に図を参考にしながら、本発明を詳細に説明する。
図１は本発明の鉄骨建築組立式窓枠の正面図、図２〜図４は図１のＡ−Ａ線断面における左枠材の拡大図（図２）、中央縦枠材の拡大図（図３）、右枠材の拡大図（図４）である。図５〜図７は、図１のＢ−Ｂ線断面における上枠材の拡大図（図５）、中間横枠材の拡大図（図６）、底枠材の拡大図（図７）である。このうち鉄骨の窓開口部は上鉄骨２、下鉄骨１、左鉄骨３、右鉄骨４の構築時に予め設けておき、その寸法は先に評価、計算して確定する。上記鉄骨窓開口部の下鉄骨１の底部にゴムガスケット９を設置し、底枠材７をゴムガスケット９の上に据えてボルトＡ28で下鉄骨１の上方に締結し、次にゴムガスケット９を上鉄骨２の下に据えて上枠材８を取り付け、上記の方法によりボルトＢ29で固定する。上記ゴムガスケット９は窓枠の取り付けに際して窓枠のボルト28及び29をしっかりと締止めると同時に、各窓枠の高さを微調整し、下鉄骨１と上鉄骨２を予め設置する際に発生する僅かな誤差をなくし、各窓枠の高さを一致させ、かつ窓枠を水平に保つことで、後に行う左枠材10、右枠材11、内側中央縦枠材12、外側中央縦枠材13の取り付けを容易にする。底枠材７と上枠材８の取付け及び微調整を終えてから、各窓枠の高さと水平度が正しいことを確認し、続けて左枠材10、右枠材11の取り付けに入り、ゴムガスケット９を左枠材10、右枠材11、上記鉄骨の固定部材５、６の左、右側の鉄骨３、４の左右側の間にそれぞれ設置し、ボルト30で左右鉄骨３、４の左右側に固定する。左枠材10及び右枠材11を取り付けてから、続けて内側中央縦枠材12、外側中央縦枠材13を取り付けるが、内側中央縦枠材固定部材15、外側中央縦枠材固定部材16は先に上枠材８、底枠材７の上に溶接で固定しておき、防水用ゴムガスケット17を内側中央縦枠材固定部材15、外側中央縦枠材固定部材16の外側に覆わせて、さらに内側中央縦枠材12及び外側中央縦枠材13を、内側中央縦枠材固定部材15、外側中央縦枠材固定部材16を覆う方法により係止させ、内側中央縦枠材12、外側中央縦枠材13の係止部分及び内側中央縦枠材12、外側中央縦枠材13と内側中央縦枠材固定部材15、外側中央縦枠材固定部材16の部分をそれぞれボルト31と32で固定する。さらに内側中間横枠材固定部材18、外側横枠材固定部材19も先に左枠材10、右枠材11、内側中央縦枠材12、外側中央縦枠材13の左右両側上にそれぞれ溶接しておき、防水用ゴムガスケット17を内側中間横枠材固定部材18、外側中間横枠材固定部材19の外側に覆わせてから、上側中間横枠材20、下側中間横枠材21を係止する方法により内側中間横枠材固定部材18、外側中間横枠材固定部材19の上に取り付け、さらにボルト33で固定する。
【０００８】
底枠材７、組立て後の中間横枠材22のブラインド（またはガラス）の取り付け位置にそれぞれゴムガスケット９を据えて、ブラインド（またはガラス）23を取り付ける。ブラインド（またはガラス）23を取り付けてから、ブラインド（またはガラス）23の外側、即ち底枠材７と上側中間横枠材20の上方の適所にボルト34でブラインド（またはガラス）を固定する横押え25を取り付け、左枠材10、右枠材11及び組立て後の中央縦枠材14の左右両側の適所にボルト34でブラインド（またはガラス）を固定する縦押え24を取り付け、さらにブラインド（またはガラス）を固定する横押え25上に非対称の形式で数個の排水孔27を開け、水が内部に流れ込むのを防ぐ。この他、本発明に関係する鉄骨建築組立式窓枠の防水性を高めるため、その下方両側、即ち底枠材７の両側に全溶接により窓隅角の防水板26を固定し、雨水が両側から溢れ出るのを防止する。
【図面の簡単な説明】
【図１】  本発明の鉄骨建築組立式窓枠の正面図である。
【図２】図１のＡ−Ａ線断面における左枠材の拡大図
【図３】図１のＡ−Ａ線断面における中央縦枠材拡大図
【図４】図１のＡ−Ａ線断面における右枠材拡大図
【図５】図１のＢ−Ｂ線断面における上枠材拡大図
【図６】図１のＢ−Ｂ線断面における中間横枠材拡大図
【図７】図１のＢ−Ｂ線断面における底枠材拡大図
【符号の説明】
１  下鉄骨
２  上鉄骨
３  左鉄骨
４  右鉄骨
５  左枠材固定部材
６  右枠材固定部材
７  底枠材
８  上枠材
９  ゴムガスケット
10  左枠材
11  右枠材
12  内側中央縦枠材
13  外側中央縦枠材
15  内側中央縦枠材固定部材
16  外側中央縦枠材固定部材
17  防水用ゴムガスケット
18  内側中間横枠材固定部材
19  外側横枠材固定部材
22  中間横枠材
23  ブラインド（又はガラス）
24  縦押え
25  横押え
26  防水板
27  排水孔
28、29、30、31、32  ボルト
【図１】
0003782364.tif 000002
【図２】
0003782364.tif 000003
【図３】
0003782364.tif 000004
【図４】
0003782364.tif 000005
【図５】
0003782364.tif 000006
【図６】
0003782364.tif 000007
【図７】
0003782364.tif 000008